(57)【要約】【課題】段差部への配筋量を低減しうる段差付き床スラブの構造を提供すること。【解決手段】段差付き床スラブ（１０）は、段違いに配置された上下一対のプレキャストコンクリート板（１２，１４）と、両プレキャストコンクリート板上に打設されたコンクリートからなる層（１６）とを含む。各プレキャストコンクリート板には複数のＰＣ鋼材（１８）が埋設されこれによりプレストレスが導入されている。上段のプレキャストコンクリート板に埋設されたＰＣ鋼材（１８）は、下段のプレキャストコンクリート板の上方においてコンクリート層（１６）中に突出する端部（２４）を有する。【選択図】図１
2007146479.tif 000002
【特許請求の範囲】
【請求項１】
段違いに配置された上下一対のプレキャストコンクリート板であって複数のＰＣ鋼材が埋設されこれによりプレストレスが導入されたプレキャストコンクリート板と、
両プレキャストコンクリート板上に打設されたコンクリートからなる層とを含む段差付き床スラブの構造であって、
上段のプレキャストコンクリート板に埋設された前記ＰＣ鋼材が下段のプレキャストコンクリート板の上方において前記コンクリート層中に突出する端部を有する、段差付き床スラブの構造。
【請求項２】
前記ＰＣ鋼材の突出する端部の長さは、前記ＰＣ鋼材の直径の約４０倍の大きさである、請求項１に記載の段差付き床スラブの構造。
【発明の詳細な説明】
【技術分野】
【０００１】
本発明は、コンクリート造建築物における段差付き床スラブの構造に関する。
【背景技術】
【０００２】
建築物内の水回りにおける水勾配確保等のため、段差のある床面を有する床スラブ（段差付き床スラブ）が採用されている（後記特許文献１参照）。
【０００３】
段差付き床スラブは、段差が存するように水平に配置された上下一対のプレキャストコンクリート板と、該プレキャストコンクリート上に打設され床スラブの床面を規定するコンクリートの層とからなり、段差のある両プレキャストコンクリート板は前記コンクリート層により相互に結合され、一体にされている。
【０００４】
ところで、段差付き床スラブの大スパン化に伴うその段差部における曲げ耐力を強化するため、前記段差付き床スラブの構成部材としてプレストレスが導入されたプレキャストコンクリート板が用いられている。また、前記段差部にその断面で見て全体に矩形状を呈するように組み合わされた複数対のＬ形筋、前記上下段のプレキャストコンクリート一方から他方へ斜めに伸びる複数のいわゆる斜め筋等が配置されている。
【０００５】
しかし、段差付き床スラブのスパンの長大化は前記段差部に発生する曲げモーメントの増大を伴うところ、前記段差部のさらなる補強には該段差部へのより多くの鉄筋の配置を必要とし、またその設置に多大の労力と時間とを要するという問題がある。
【特許文献１】特開２００４−１３７６７８号公報
【発明の開示】
【発明が解決しようとする課題】
【０００６】
本発明は、段差部への配筋量を低減しうる段差付き床スラブの構造を提供することにある。
【課題を解決するための手段】
【０００７】
本発明は、段違いに配置された上下一対のプレキャストコンクリート板であって複数のＰＣ鋼材が埋設されこれによりプレストレスが導入されたプレキャストコンクリート板と、両プレキャストコンクリート板上に打設されたコンクリートからなる層とを含む段差付き床スラブの構造に係り、上段のプレキャストコンクリート板に埋設された前記ＰＣ鋼材が下段のプレキャストコンクリート板の上方において前記コンクリート層中に突出する端部を有する。前記ＰＣ鋼材の突出する端部の長さは、一例として、前記ＰＣ鋼材の直径の約４０倍の大きさとすることができる。
【発明の効果】
【０００８】
本発明によれば、段差付き床スラブの上段のプレキャストコンクリート板に埋設されたＰＣ鋼材について、その端部が下段のプレキャストコンクリートの上方においてコンクリート層中に伸びるようにしたことから、前記端部をもって、前記床スラブの段差部をなす前記コンクリート層の一部を補強することができ、これによりその補強のために必要とされる特別な鉄筋の配置量、その配置に要する労力、時間等を低減することができる。
【発明を実施するための最良の形態】
【０００９】
図１を参照すると、コンクリート造建築物における段差付き床スラブ（以下単に「床スラブ」という。）が全体に符号１０で示されている。
【００１０】
床スラブ１０は、プレストレスが導入された上下一対のプレキャストコンクリート板（以下単に「ＰＣ板」という。）１２，１４と、コンクリート層１６とを含む。
【００１１】
両ＰＣ板１２，１４はそれぞれ全体に矩形の平面形状を有する。両ＰＣ板１２は上下に間隔をおいて水平にすなわち段違いに配置され、これらの一の端部（図１において、上段のＰＣ１２板の左端部及び下段のＰＣ板１４の右端部）において前記建築物の梁（図示せず）上に支持される。図示の例では、これらのＰＣ板１２，１４はこれらの他の端部１３，１５において互いにわずかに重なり合っている。
【００１２】
両ＰＣ板１２にはそれぞれこれらに前記プレストレスを及ぼすＰＣ鋼より線のような複数のＰＣ鋼材１８が埋設されている（ただし、上段のＰＣ板１２についてのみ図示されている。）。ＰＣ鋼材１８は各ＰＣ板１２，１４中をその両端部の一方から他の一方へ伸び、これらの端部が規定する両端面に固定されている。
【００１３】
複数のＰＣ鋼材１８は、これらが埋設されるＰＣ板１２の大きさが例えば１３６０ｍｍ（幅）×１００００ｍｍ（長さ）×８０ｍｍ（厚さ）であるとき、ＰＣ板１２の幅方向へ２００ｍｍの間隔をおいて配置される。また、ＰＣ鋼材１８が有する引張強度及びＰＣ鋼材１８に導入される引張力の大きさ（定着時）については、その線径が１２．７ｍｍの７本より線からなるＰＣ鋼材の場合、それぞれ、１８６０Ｎ／ｍｍ２及び１２４．８ｋＮである。
【００１４】
コンクリート層１６は両ＰＣ板１２，１４上に打設されこれらのＰＣ板を一体に結合するコンクリートの硬化物からなり、段差部２０を有し、段差のある床面２２を規定する。コンクリート層１６の段差部２０は、床スラブ１０における下段のＰＣ板１４の端部１５及びその近傍の上方にあって上段のＰＣ板１２の端部１３を覆うコンクリート層１６の一部からなる。段差部２０は、各ＰＣ板１２，１４上におけるコンクリート層１６の他の部分より大きい厚さ寸法を有し、実質的に小梁部をなす。
【００１５】
コンクリート層１６中には、段差部２０の補強鉄筋として、段差部２０から上段のＰＣ板１２の上方へ伸びる複数のいわゆるＬ形筋２６及び段差部２０から下段のＰＣ板１４の上方へ伸びる複数のＬ形筋２７と、上段のＰＣ板１２上から段差部２０を経て下段のＰＣ板１４上へ伸びる複数のいわゆる斜め筋２８，３０とがそれぞれＰＣ板１２の幅方向に間隔をおいて配置されている（図２参照）。
【００１６】
一方のＬ形筋２６は他方の一対のＬ形筋２７相互間にあって、図１で見て、段差部２０において他方のＬ形筋２７と全体に矩形状をなす。斜め筋２８，３０はそれぞれ上下に配置されている。また、段差部２０には前記ＰＣ板の幅方向へ伸びる複数の鉄筋３２が配置されている。これらの鉄筋３２は、両Ｌ形筋２６，２７が規定する前記矩形の３つのコーナ部に配置されている。
【００１７】
本発明にあっては、上段のＰＣ板１２に埋設されたＰＣ鋼材１８の一方の端部２４が、下段のＰＣ板１４の上方において、コンクリート層１６中（より詳細には段差部２０中）に水平に突出している。端部２４のコンクリート層１６中への突出長さは、好ましくはＰＣ鋼材１８の直径の約４０倍の大きさである。
【００１８】
段差部２０を伸びるこれらのＰＣ鋼材１８の端部２４は、段差部２０の補強作用、とくに段差部２０における曲げに対する補強をなす。ＰＣ鋼材１２の端部２４については、これを段差部２０に突出するようにしたことから、プレストレス導入後におけるいわゆる端面処理が不要である。すなわち、引張力導入後における前記ＰＣ鋼材の端部の切断及び切断端を前記ＰＣ板の端面まで研削する作業が不要である。
【００１９】
ＰＣ鋼材１８の端部２４を段差部２０中に突出させることにより、鉄筋のさらなる配置による段差部２０の補強と、これに伴う前記鉄筋の配置及びこれに要する労力、時間等を不要とすることができる。
【００２０】
なお、図示の例では、各ＰＣ板１２，１４にその曲げ耐力を高めるための一条の突起３４が設けられている。矩形の横断面形状を有する突起３４は、前記ＰＣ板の上面上にあってその幅方向における中央部を前記ＰＣ板の一端から他端部１３，１５へ向けて伸び、下方の斜め筋３０の配置位置の手前で終端している。
【００２１】
本発明は、突起３４が設けられていない平板状のＰＣ板にも適用可能である。
【図面の簡単な説明】
【００２２】
【図１】段差付き床スラブの部分横断面図である。
【図２】コンクリート層の形成前における床スラブの部分平面図である。
【符号の説明】
【００２３】
１０  段差付き床スラブ
１２，１４  上段及び下段のプレキャストコンクリート板
１６  コンクリート層
１８  ＰＣ鋼材
２４  ＰＣ鋼材の端部
【図１】
2007146479.tif 000003
【図２】
2007146479.tif 000004